(57)【要約】【課題】FFCまたはFPCを確実に接続し、小型化が可能なコネクタを提供する。【解決手段】基板に接続され、基板とフレキシブルフラットケーブルまたはフレキシブルプリント基板であるフラットケーブルとを、フラットケーブルを挿入して固定することにより接続するコネクタを、基板に接続されるベースと、ベースに回動可能に接続されるカバーとを有し、カバーは、フラットケーブルを挿入可能な第１の位置とフラットケーブルを接続するために固定する第２の位置とでロックされ、フラットケーブルの挿入により、カバーの第１の位置でのロックが解除されるように構成する。【選択図】図１
2010238381.tif 000002
【特許請求の範囲】
【請求項１】
基板に接続され、前記基板とフレキシブルフラットケーブルまたはフレキシブルプリント基板であるフラットケーブルとを、前記フラットケーブルを挿入して固定することにより接続するコネクタであって、
前記基板に接続されるベースと、前記ベースに回動可能に接続されるカバーとを有し、
前記カバーは、前記フラットケーブルを挿入可能な第１の位置と前記フラットケーブルを接続するために固定する第２の位置とでロックされ、
前記フラットケーブルの挿入により、前記カバーの前記第１の位置でのロックが解除されることを特徴とする、コネクタ。
【請求項２】
前記フラットケーブルが挿入されたときに、前記フラットケーブルの先端が、前記ベースに複数設けられたボタンを押し込むことにより、前記カバーの前記第１の位置でのロックが解除されることを特徴とする、請求項１に記載のコネクタ。
【請求項３】
前記ベースが、前記フラットケーブルが挿入されるときの幅を規制する幅規制部を有することを特徴とする、請求項１または２に記載のコネクタ。
【請求項４】
前記カバーと前記ベースに設けられたロック部とロック凹部とが嵌合することにより、前記カバーが前記第２の位置でロックされることを特徴とする、請求項１ないし３に記載のコネクタ。
【発明の詳細な説明】
【技術分野】
【０００１】
本発明は、電子機器の基板とフラットケーブルとを接続するためのコネクタに関し、特にフラットケーブルの不完全な挿入による接触不良を防止可能なコネクタに関する。
【背景技術】
【０００２】
電子機器の分野では、技術の進展により機能の高度化が実現されてきている。一方、特に携帯型の電子機器においては、装置の小型化が求められている。そのため、電子機器の実装は高密度化しており、基板と基板外の機能部品とをケーブルで接続する際の配線材としてFFC(Flexible Flat Cable)やFPC(Flexible Printed Circuits)が使用されることが多い。
【０００３】
FFCは平型導体を幅方向に並べた状態で絶縁体により被覆して構成された配線材であり、終端部は、絶縁体が除去され導体が露出されている。FFCと基板との接続には、導体に対応した接点を有するコネクタが使用される。FFCを構成する導体の間隔は高密度実装のために小さくなっているため、FFCと基板とを接続するためにはFFCをコネクタに確実に挿入することが必要である。
【０００４】
また、FPCは柔軟性があって変形可能なプリント基板であり、終端部はベースフィルム上に形成された導体箔が露出されている。FPCと基板との接続にはFFCと同様のコネクタが使用され、FFCの接続と同様、FPCをコネクタに確実に挿入することが求められる。
【０００５】
特許文献１には、ハウジングとスライダーを有し、ハウジングとスライダーとでFFCまたはFPCを挟持するコネクタで、スライダーの係合部の幅方向両側に突出部を設け、ハウジングに設けられた逃げ溝に入るようにしてガタ無く固定できるコネクタが記載されている。
【先行技術文献】
【特許文献】
【０００６】
【特許文献１】特開２００４−１３９９２３号公報
【発明の概要】
【発明が解決しようとする課題】
【０００７】
特許文献１に記載のコネクタは、ハウジングとスライダーとでFFCまたはFPCを挟持するようになっているので、コネクタ自体が大型化し、小型化が要求される電子機器への採用に適しない。
【０００８】
そこで、本発明は、FFCまたはFPCを確実に接続し、小型化が可能なコネクタを提供することを目的とする。
【課題を解決するための手段】
【０００９】
本発明のコネクタは、基板に接続され、基板とフレキシブルフラットケーブルまたはフレキシブルプリント基板であるフラットケーブルとを、フラットケーブルを挿入して固定することにより接続するコネクタであって、基板に接続されるベースと、ベースに回動可能に接続されるカバーとを有し、カバーは、フラットケーブルを挿入可能な第１の位置とフラットケーブルを接続するために固定する第２の位置とでロックされ、フラットケーブルの挿入により、カバーの第１の位置でのロックが解除されることを特徴とする。
【発明の効果】
【００１０】
本発明によれば、FFCまたはFPCを確実に接続し、小型化が可能なコネクタを提供できる。
【図面の簡単な説明】
【００１１】
【図１】本実施形態のコネクタのFFC挿入口の構造を示す図である。
【図２】本実施形態のコネクタにFFCが挿入されたときの構造を示す図である。
【図３】本実施形態のコネクタに挿入されたFFCをロックしたときの断面図である。
【発明を実施するための形態】
【００１２】
以下、図面を参照して本発明を実施するための形態について詳細に説明する。本実施形態は、電子機器の基板とFFCまたはFPCとを接続するために基板に実装されるコネクタである。
【００１３】
図１は、本実施形態のコネクタのFFC挿入口の構造を示す図であり、（ａ）はコネクタをFFC挿入口から見た正面図、（ｂ）は（ａ）におけるＡ−Ａ断面図、（ｃ）は（ａ）におけるＢ−Ｂ断面図である。図１を参照すると、コネクタは、ベース１、幅規制部２、ボタン３、スライド面４、カバー５、端子６、ロック部７を有し、基板８に接続されている。
【００１４】
ベース１は基板に接続されてその他の部分を支える構造体であり、プラスチックなどで構成可能である。幅規制部２は、ベース１のFFC挿入口の内側に、FFCの幅方向に対向して設けられ、FFCが挿入されるときに所定以上の幅になることを制限する。幅規制部２は、例えば板バネによって構成可能である。ボタン３は、ベース１のFFC挿入口の最奥部に複数設けられ、FFCが挿入されるとFFCの先端によって押し込まれる。
【００１５】
スライド面４は、ベース１のFFC挿入口の内部に、基板８と平行に配置され、FFCを接続に適した高さでスライドできるようガイドする。カバー５は、ベース１に対して回動可能に接続され、FFCを挿入可能な開いた位置とFFCを固定する閉じた位置とでロックされる。カバー５は、複数のボタン３が押し込まれる動作に対応して開いた位置でのロックが解除されるよう構成されており、具体的な構成の記載は省略するが従来技術により構成可能である。
【００１６】
端子６は、カバー５に設けられ、カバー５が閉じた位置でロックされたときにFFCの導体と接触するようになっている。ロック部７は、カバー５に設けられ、ベース１に設けられる図示しないロック凹部と嵌合することでカバー５を閉じた位置でロックする。カバー５を閉じた位置でロックするための構造はこの実施形態のものに限られず、例えばロック部７とロック凹部との凹凸を逆にしても実現可能である。
【００１７】
図２は、本実施形態のコネクタにFFCが挿入されたときの構造を示す図であり、（ａ）はコネクタをFFC挿入口から見た正面図、（ｂ）は（ａ）におけるＡ−Ａ断面図、（ｃ）は（ａ）におけるＢ−Ｂ断面図である。図２を参照すると、基板８に実装されたコネクタのFFC挿入口にFFC１０が挿入されている。ここで、FFC１０はFPCであってもよい。FFC１０の挿入によりFFC１０の先端が複数のボタン３を押し込み、開いた位置でロックされていたカバー５のロックが解除されている。このとき、幅規制部２がFFC１０の幅を制限しているため、斜め挿入が防止できる。また、複数のボタン３が押し込まれて始めてロック解除されるよう構成されているため、幅規制部２の規制にかかわらず斜めに挿入された場合であっても、誤ってロックしてしまうことがない。
【００１８】
図３は、本実施形態のコネクタに挿入されたFFCをロックしたときの断面図である。図３は、図１（ｃ）または図２（ｃ）に対応する断面図である。図３を参照すると、カバー５が閉じた位置でロックされ、端子６がFFC１０の導体１１に接触している。
【００１９】
以上のようにコネクタを構成することにより、FFCまたはFPCを確実に接続でき、かつ小型化が可能となる。
【符号の説明】
【００２０】
１    ベース
２    幅規制部
３    ボタン
４    スライド面
５    カバー
６    端子
７    ロック機構
８    基板
１０  FFC
１１  導体
【図１】
2010238381.tif 000003
【図２】
2010238381.tif 000004
【図３】
2010238381.tif 000005